(57)【要約】【課題】足の指の姿態に起因して生じ得る肩こりを軽減し又は防止し得る靴を提供する。【解決手段】靴１０は、大要、靴底１、中敷き２及びアッパー３より成る。靴底１は、底面１ＢＳ及び底面１ＢＳに対向する上面１ＵＳを有する。中敷き２は、靴底上面１ＵＳに接する裏面２ＢＳを有する。そして、凸状に突起した凸部４が、靴底１の踏み付け部ＲＡの内で人の足部の踏み付け部に対応する部分Ｒ２に於ける靴底上面１ＵＳの略中央部に、配設されている。凸部４の表面４Ｓは、全面的に、中敷き２の裏面２ＢＳで当接・被覆されている。この凸部４は、例えばエアークッション、高反発スポンジ又はウォータークッションより成り、靴１０を履く人の足部からの押圧に応じて自在に変形し得る。凸部４の形状は任意である。例えば、凸部４は、半卵型形状を有している。【選択図】図１
0003211214.tif 000002
【実用新案登録請求の範囲】
【請求項１】
路面に接する底面及び前記底面に対向する上面を有する靴底と、
前記靴底の前記上面に接する裏面を有する中敷きと、
前記靴底の踏み付け部の内で人の足部の踏み付け部に対応する部分の前記靴底の前記上面に配設されて前記中敷きの前記裏面に当接しつつ当該裏面により被覆される凸部と
を備えることを特徴とする、靴。
【請求項２】
請求項１に記載の靴であって、
前記凸部は前記人の前記足部からの押圧に応じて変形自在である
ことを特徴とする、靴。
【請求項３】
請求項１又は請求項２に記載の前記凸部を有する前記靴底である
ことを特徴とする、靴底。
【考案の詳細な説明】
【技術分野】
【０００１】
この考案は、靴及びその靴底に関する。
【背景技術】
【０００２】
従来、種々の構造の靴底を有する靴が提案されている（例えば特許文献１乃至３を参照。）。
【先行技術文献】
【特許文献】
【０００３】
【特許文献１】特開２０１７−６４８２号公報
【特許文献２】特開２０１４−８２９８号公報
【特許文献３】特開２００２−２９１５０１号公報
【考案の概要】
【考案が解決しようとする課題】
【０００４】
その人の日常の生活習慣として、両足の各足（右足・左足）の指の内で、主として、親指、人差し指及び中指の３本の指（以下「足の親指等」という。）を床面乃至は地面（以下「床面等」という。）に接触させて立つのではなくて床面等より少し上方に向けて浮かせた状態で立ちながら、仕事等の日常の作業を行っている人がいる。特に、若年層に、その様な傾向が見られる。この様な足の親指等が少し上向きに浮いた状態が当該人の癖の如く日常茶飯事の姿態乃至は状態となる要因は、昨今の、人が履く靴の踏み付け部の内で足の親指等が当たる爪先部寄り部分が、下駄或いは草履の様に扁平で比較的に硬い部分より成っているのではなくて、床面等より少し上向きに浮いた比較的に柔らかい部分より成っていることにある。その様な足の親指等の姿態で常に立つ癖のある人にとっては、立っている姿勢時に、背後に重心が若干移ることに起因して、常に背中が背後に引かれた状態になる。そのため、当該人は、その様な背中が背後に引かれる状態を立て直して背中を真っ直ぐに延ばした状態で立とうとするために、常にその人の背中側から両肩までに至る肩周辺の身体部分に対して、力が加わった状態が生じ得る。そのため、日常時に足の親指等が少し上向きに浮いた状態で立つ癖のある人の多くが、日頃から、慢性的に、「肩こり」の発生に悩まされているというのが、現状である。更には、そういう人達の中には、偏頭痛に悩まされている人もおり、或いは、背中又は腰の身体部分が常日頃から痛いという人もいる。
【０００５】
この考案は斯かる現状に鑑みて成されたものであり、その主目的は、日頃から足の親指等が少し上向きに浮いた状態で立つ癖のある人の肩こりの発生を軽減・抑制し或いは防止し得る靴及びその靴底を提供することにある。
【課題を解決するための手段】
【０００６】
本考案の主題に係る靴は、路面に接する底面及び前記底面に対向する上面を有する靴底と、前記靴底の前記上面に接する裏面を有する中敷きと、前記靴底の踏み付け部の内で人の足部の踏み付け部に対応する部分の前記靴底の前記上面に配設されて前記中敷きの前記裏面に当接しつつ当該裏面により被覆される凸部とを備えることを特徴とする。
【考案の効果】
【０００７】
本考案の主題に係る靴によれば、足の親指等が少し上向きに浮いた状態で立つ癖のある人が当該靴を履くことによって、中敷きを介して靴底上面の凸部からの押圧を受けて足の親指等が地面を掴む様に地面に対して接触状態乃至は略平行な状態となるため、立ち姿勢でのバランスが取れて良くなる。その結果、本考案の主題に係る靴は、上記の浮き足状態の人の肩こりの発生を軽減し又は防止することが出来る。
【０００８】
以下、本考案の様々な具体化を、添付図面を基に、その効果・利点と共に、詳述する。
【図面の簡単な説明】
【０００９】
【図１】本考案の実施の形態１に係る靴の構造を模式的に示す縦端面図である。
【図２】本考案の実施の形態１に係る靴の靴底の上面を模式的に示す平面図である。
【考案を実施するための形態】
【００１０】
（実施の形態１）
【００１１】
＜靴の特徴点・本質部分及び解決原理＞
本実施の形態に係る靴の技術上の特徴点ないしは本質部分は、当該靴の靴底の上面の内で人の足部の「踏み付け部」に該当する部分の略中央部の上に、凸状に突起乃至は突出した凸部が配設されている点にある。斯かる凸部を有する靴底及び中敷きを有する靴は、「人の足部の踏み付け部の略中央部分をゴルフボール等の球形物又は手の親指で押すと、その押圧に応じて足の親指等が下向き（内向き）に動く」という足の指部分の動きを、既述した課題を解決するための解決原理として採用・応用するものである。ここで、上記の凸部の形状は、任意である。例えば、当該凸部は、上面視において、円形状（半球形状）或いは楕円形状、又は、（半）卵型形状を有していても良い。当該凸部の上記配設位置は、要するに、後述の＜靴の作用・効果＞の記載の様に、仮に足の指全体を手で押さえて内側に曲げたときに各足の足部の踏み付け部に出来る「への字」状の窪みを、当該足部の踏み付け部への押圧によって逆に当該踏み付け部に生じさせ得る位置であると、言える。以下、当該靴の構造及びその作用・効果を添付図面に基づいて詳述する。
【００１２】
＜靴の構造＞
図１は、本実施の形態に係る靴１０の構造を模式的に示す縦端面図である。又、図２は、図１に示す矢印ＡＲの方向から靴１０の中敷き２を透視して靴底１を眺めた際の、靴底１の上面１ＵＳの構造を模式的に示す平面図である。この靴１０は右足用の靴であっても良いし、左足用の靴であっても良く、この点は問われない。
【００１３】
図１及び図２に於いて、靴１０は、概要、１）路面に接する靴底（ソール）１、２）人の足裏に接する中敷き２、及び、３）足全体を包み込むアッパー（甲部）３より成る。これらの内で、靴底１は、路面に接する底面１ＢＳ、及び、底面１ＢＳに対向する上面１ＵＳを有する。通常、靴底１は、図１では便宜上図示されてはいないが、路面側のアウターソール（外底）、ミッドソール、及び、中敷き側のインソール（中底）の積層部分より、或いは、アウターソール及びインソールの積層部分より成る。尚、本実施の形態では、アッパー３の形状・寸法乃至は構成の如何は問われず、当該形状・寸法乃至は構成は任意である。例えば、アッパー３は靴紐部を有していても良いし、或いは、靴紐部を有していなくても良い。
【００１４】
図１に示される通り、靴底１は、その爪先側から踵側に向けて、「広義」での踏み付け部（前足部）ＲＡ、踏まず部（中足部）Ｒ３、及び、かかと部（後足部）Ｒ４の各領域を有する。この内、本実施の形態では、踏み付け部ＲＡは、人が靴１０を履いた場合に於いて、ａ）人の足部の足趾（足の指部分）に該当する足趾部分Ｒ１、及び、ｂ）人の足部の踏み付け部（前足部）に該当する、「狭義」での踏み付け部Ｒ２より成る。本実施の形態では、後述の通り、この狭義での踏み付け部Ｒ２の領域が重要となる。
【００１５】
又、図１に例示される通り、中敷き２は、靴底１の上面１ＵＳに全面的に接する裏面２ＢＳを有する。尚、中敷き２の形状・材質・寸法の如何は、問われない（任意。）。
【００１６】
そして、図１及び図２に例示される通り、本実施の形態の中核部分として、凸状に突出した凸部４が、靴底１の踏み付け部ＲＡの内で人の足部の踏み付け部に対応する部分である踏み付け部Ｒ２に於ける靴底上面１ＵＳの中央部（略中央位置）に配設されている。この凸部４の形状は、既述の通り、任意である。しかも、凸部４の表面４Ｓは、中敷き２の裏面２ＢＳと全体的に当接して、裏面２ＢＳにより全面的に被覆されている。その結果、中敷きの表面２ＵＳの内で、凸部４の表面４Ｓの直上に位置する部分２ＵＳ１もまた、その周辺の表面２ＵＳよりも、凸状に盛り上がっている。従って、靴１０を履いた人は、この凸状に盛り上がった表面部分２ＵＳ１を介して、足裏で、凸部４の存在を感じて認識することとなる。この凸部４は、後述の通り、人の足のサイズの相違（足部の踏み付け部の中央部の位置の相違）に対応可能とする観点から、靴１０を履いた人の足部から加わる押圧に応じて自在に変形可能な構造乃至は材質を有する。その様な変形自在な構成の一例として、例えば、凸部４は、ビニールより成る表面４Ｓと当該表面４Ｓで被覆された状態にあるエアーとより構成される「エアークッション」より成る。或いは、凸部４は、高反発スポンジ、又は、ウォータークッション等より成る。
【００１７】
＜靴１０の作用・効果＞
以下、本考案の課題に於いて既述した立癖の有る人、即ち、足の親指等を床面等より少し上方に向けて浮かせた状態で常日頃より立つ癖のある人が、上記の構成の靴１０を履く場合を考える。この場合、靴１０を履いた人の各足の足部の踏み付け部の中央部は、凸状に盛り上がった中敷き２の表面部分２ＵＳ１との接触を通じて、靴底１側の凸部４より、反作用として、当該足部の踏み付け部を上方に押し付ける押圧を受ける。この場合、凸部４からの当該押圧は直接的では無くて中敷き２の表面部分２ＵＳ１を通じて受ける力であるので、当該人は、靴１０を履いた状態に於いて、凸部４による違和感を、感じ難い。この様に、靴１０を履いた人の各足の足部の踏み付け部の中央部が凸部４からの押圧によって下方より押されると、各足の足部の踏み付け部には、仮に足の指全体を手で内側に曲げたときに当該踏み付け部に生じ得る「への字」状の窪み（所謂、足ツボ「湧泉」のポイント部分を含む。）が、全体的に、発生する。この「への字」状の窪みの発生を応用して、上記の＜解決原理＞に於いて既述した通り、逆に、当該人の足の親指等は当該押圧に応じて下向きに動いて内側に曲がることになる。この下向きの動きに連動して、当該人の足の親指等は、中敷き２の表面２ＵＳより少し浮いた状態から中敷き２の表面２ＵＳに当接した状態となる。このため、当該人は、床面等乃至は靴の中敷き表面より足の親指等を少し浮かせていた際に自己の背中から肩部に掛けて加えていた力（背後に移動した重心を前に持ってくるために身体に加える力。）を加え続ける必要性が無くなり、当該力を加えなくても背中を真っ直ぐに延ばした状態で靴１０の中敷き表面２ＵＳ乃至は床面等の上に立つことが可能となる。この様に立ち姿勢でのバランスが良くなる結果、当該人の肩及び周辺部（肩部）には、肩こりの発生が低減・抑圧され或いは防止されることとなり、当該人は靴１０を履いて立ちながら作業を行っても、肩こりの発生に悩まされることは無くなる。この肩こりの発生の低減・防止の効果に伴い、当該肩こりに起因して生じていた、背中の痛み、腰の痛み、或いは、偏頭痛の発生等の悩みも、低減・抑圧され、或いは、防止される。
【００１８】
既述の通り、凸部４は靴１０を履いた人の足部からの押圧に応じて自在に変形し得る構成を有するので、上記の作用・効果乃至は利点は、靴１０を履く人毎にその人の足のサイズ乃至は大きさが相違していても、同様に得られる。即ち、凸部４は、靴１０を履いた人の足部からの押圧に応じて、当該人の各足の足部の踏み付け部の中央部に対して適切に押圧を加えられる様に変形して、その変形した状態から足部踏み付け部中央部に対して押圧を加えることで、当該人の肩こりの発生を低減し或いは防止し得る。
【００１９】
尚、既述した立癖の無い人が靴１０を履いても、支障はなく、その様な立癖の無い人の靴１０の利用も一向に差支えない。本実施の形態に係る凸部４は、靴底１の上面１ＵＳ上に配設されているので、製造方法の観点から見ても、凸部４の形成は比較的に容易である。
【００２０】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００２１】
本考案は、「靴」に適用して好適である。この場合、靴に関して、短靴、深靴又は長靴等の用途に応じた靴の種類は問われないし、且つ、靴の使用者の性別（男性・女性）（男性用靴か女性用靴か）は問われない。
【符号の説明】
【００２２】
１０  靴
１  靴底（ソール）
１ＢＳ  底面
１ＵＳ  上面
Ｒ２  踏み付け部
２  中敷き
２ＢＳ  裏面
３  アッパー（甲部）
４  凸部
【図１】
0003211214.tif 000003
【図２】
0003211214.tif 000004